(57)【要約】【課題】航空機内等で急激な圧力変化が生じた場合であっても、インキが外部に吹き出すおそれがなく、しかも、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる出没式筆記具を提供する。【解決手段】筆記体３が、ペン先５と、インキを直に貯溜するインキタンク４１と、インキ保溜部材６と、通気路７とを備える。筆記体３のインキタンク４１内にインキタンク４１を前後に区画する隔壁部１１を設ける。隔壁部１１の前方のインキタンク４１内に小空間４１１を設け、隔壁部１１の後方のインキタンク４１内に大空間４１２を設ける。隔壁部１１の後面に、大空間４１２側に突出する管状部１１１を設ける。管状部１１１の内部を通して大空間４１２と小空間４１１とを連通する。【選択図】  図１
2008006663.tif 000002
【特許請求の範囲】
【請求項１】
筆記体が、ペン先と、インキを直に貯溜するインキタンクと、ペン先とインキタンクとの間に配置され且つインキタンクの内圧上昇に伴う溢出インキを一時的に保持するインキ保溜部材とを備え、前記筆記体を軸筒内に前後方向に移動可能に収容し、前記筆記体のペン先を軸筒の前端孔から出没可能に構成した出没式筆記具であって、前記筆記体のインキタンク内にインキタンクを前後に区画する隔壁部を設け、前記隔壁部の前方のインキタンク内に小空間を設け、前記隔壁部の後方のインキタンク内に大空間を設け、前記隔壁部の後面に、前記大空間側に突出する管状部を設け、前記管状部の内部を通して前記大空間と前記小空間とを連通してなることを特徴とする出没式筆記具。
【請求項２】
前記管状部内部に大径孔を設け、前記隔壁部に、前記大空間と前記小空間とを連通させる、前記大径孔より小さい横断面積を有する小径孔を設けた請求項１記載の出没式筆記具。
【請求項３】
筆記体が、インキタンク内と外気とを連通する通気路を備え、ペン先没入時に前記通気路を閉鎖しインキタンク内と外気との連通を遮断し、且つ、ペン先突出時に前記通気路を開放しインキタンク内と外気とを連通するシール装置を備えた請求項１または２記載の出没式筆記具。
【請求項４】
軸筒の前端部に開閉部材を設け、前端孔より後方の軸筒内部に環状のシール体を設け、ペン先没入時に、前記開閉部材が前端孔を閉鎖し且つ前記シール体が筆記体の外周面と密接することにより、軸筒内部に密閉されたシール空間を構成するとともに該シール空間内部にペン先を収容し、ペン先突出時に、前記開閉部材が前端孔を開口させ且つ前記シール空間を開放させてなる請求項１または２記載の出没式筆記具。
【請求項５】
筆記体が、インキタンク内と外気とを連通する通気路を備え、筆記体の外面に通気路の開口部を設け、ペン先没入時に前記シール空間内部に前記通気路の開口部を位置させてなる請求項４記載の出没式筆記具。
【請求項６】
筆記体が、インキタンク内と外気とを連通する通気路を備え、ペン先没入時に前記通気路の開口部を前記シール体が密閉してなる請求項４記載の出没式筆記具。
【請求項７】
前記ペン先が、前端に回転可能にボールを抱持したボールペンチップであり、軸筒内部の前端孔近傍に弾性材料からなるペン先シール部材を設け、ペン先没入時に前記ペン先シール部材にペン先の前端を密接させることによりペン先の前端を密閉し、ペン先突出時に前記ペン先シール部材と前記ペン先の前端との密接を解除してなる請求項１または２記載の出没式筆記具。
【請求項８】
筆記体が、インキタンク内と外気とを連通する通気路を備え、
前記筆記体のペン先近傍の外面に通気路の開口部を設け、ペン先没入時に前記ペン先シール部材が前記通気路の開口部を密閉し、ペン先突出時に前記ペン先シール部材が前記通気路の開口部を開放してなる請求項７記載の出没式筆記具。
【請求項９】
筆記体が、インキタンク内と外気とを連通する通気路を備え、
筆記体の外面に通気路の開口部を設け、軸筒内部に弾性材料からなるシール体を固定し、ペン先没入時に前記シール体が前記通気路の開口部を密閉し、ペン先突出時に前記シール体が前記通気路の開口部を開放してなる請求項７記載の出没式筆記具。
【発明の詳細な説明】
【技術分野】
【０００１】
本発明は、出没式筆記具に関する。詳細には、インキを直に貯溜する直液式の筆記体を軸筒内に前後方向に移動可能に収容した出没式筆記具に関する。
【背景技術】
【０００２】
従来この種の出没式筆記具において、特許文献１には、チップ内孔にインキ誘導芯が密装され、チップ後方に直列状に継ぎ手、インキ保溜体が一体的に設けられて、インキ収容管内に低粘度インキが充填されると共にインキ収容管の前方部内孔にインキ保溜体が嵌着されて成るボールペンのリフィールと、軸筒の後方にノック操作により軸筒に対し前後退位置に係止される回転カム機構部が配設され、その回転カム機構部の前方にリターンスプリングにより後方に附勢された前記ボールペンのリフィールが設けられて成るノック式筆記具が開示されている。また、前記特許文献１には、鍔部の所要箇所に通気溝を設けて外気とインキ保溜体及びインキ収容管内の空気置換を行なうこと、及び、空気置換のための通気路は細く迂回したものが望ましいことが記載されている。また、前記特許文献１には、先端ボールがチップ先端のボール抱持部の内縁に常時は押圧されて密接し、筆記時に密接状態が解除されるように設けられて、チップ先端がシール不要で軸筒に搭載可能と成されたノック式筆記具が開示されている。
【０００３】
【特許文献１】特開平１０−２６４５８５号公報
【発明の開示】
【発明が解決しようとする課題】
【０００４】
前記従来の出没式筆記具は、航空機内等で急激な圧力変化が生じた場合、インキ収容管内（本発明のインキタンク内に相当）の空気が急激に膨張し、インキが外部に吹き出すおそれがある。
【０００５】
また、前記従来の出没式筆記具は、ペン先没入状態であっても、通気路は外気と連通されているため、長期間保管すると、インキタンク内のインキが蒸発して、筆記不能となるおそれがある。さらに、前記従来の出没式筆記具は、ペン先没入状態でインキタンク内の圧力が上昇すると、通気路を通って外部にインキが漏出するおそれがある。
【０００６】
本発明は、前記従来の問題点を解決するものであって、航空機内等で急激な圧力変化が生じた場合であっても、インキが外部に吹き出すおそれがなく、しかも、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる出没式筆記具を提供しようとするものである。
【０００７】
尚、本発明で、「前」とはペン先側を指し、「後」とはその反対側を指す。また、本発明で、「ペン先没入」とは、ペン先が軸筒内部に没入することを言い、「ペン先突出」とは、ペン先が軸筒の前端孔から外部に突出することを言う。
【課題を解決するための手段】
【０００８】
（構成１）
本発明は、筆記体３が、ペン先５と、インキを直に貯溜するインキタンク４１と、ペン先５とインキタンク４１との間に配置され且つインキタンク４１の内圧上昇に伴う溢出インキを一時的に保持するインキ保溜部材６とを備え、前記筆記体３を軸筒２内に前後方向に移動可能に収容し、前記筆記体３のペン先５を軸筒２の前端孔２１から出没可能に構成した出没式筆記具であって、前記筆記体３のインキタンク４１内にインキタンク４１を前後に区画する隔壁部１１を設け、前記隔壁部１１の前方のインキタンク４１内に小空間４１１を設け、前記隔壁部１１の後方のインキタンク４１内に大空間４１２を設け、前記隔壁部１１の後面に、前記大空間４１２側に突出する管状部１１１を設け、前記管状部１１１の内部を通して前記大空間４１２と前記小空間４１１とを連通してなること（構成１）を要件とする。
【０００９】
前記構成１の出没式筆記具１は、ペン先下向き状態において、航空機内等での急激な圧力変化が生じ、インキタンク４１内の空気が急激に膨張した場合であっても、前記膨張した空気が、管状部１１１及び小空間４１１内に存在する少量のインキを、インキ保溜部材６に押し出し、前記押し出されたインキがインキ保溜部材６に適正に保持されると同時に、前記膨張空気が、管状部１１１の内部を通って小空間４１１及びインキ保溜部材６を介して外部に適正に排出され、外部へのインキの吹き出しが防止される。
【００１０】
（構成２）
前記構成１の出没式筆記具１において、前記管状部１１１内部に大径孔１１２を設け、前記隔壁部１１に、前記大空間４１２と前記小空間４１１とを連通させる、前記大径孔１１２より小さい横断面積を有する小径孔１１３を設けたこと（構成２）が好ましい。
【００１１】
前記構成２の出没式筆記具１は、ペン先下向き状態において、航空機内等での急激な圧力変化が生じ、インキタンク４１内の空気が急激に膨張した場合であっても、前記膨張した空気が、管状部１１１及び小空間４１１内に存在する少量のインキを、インキ保溜部材６に押し出し、前記押し出されたインキがインキ保溜部材６に適正に保持されると同時に、前記膨張空気が、小径孔１１３よりも流通抵抗の小さい大径孔１１２を通り、小空間４１１及びインキ保溜部材６を介して外部に適正に排出され、外部へのインキの吹き出しが防止される。また、前記構成２の出没式筆記具１は、ペン先上向き状態において、航空機内等での急激な圧力変化が生じ、インキタンク４１内の空気が急激に膨張した場合であっても、前記膨張した空気が、小径孔１１３を通り、小空間４１１及びインキ保溜部材６を介して外部に適正に排出され、外部へのインキの吹き出しが防止される。
【００１２】
（構成３）
前記構成１または構成２の出没式筆記具１において、筆記体３が、インキタンク４１内と外気とを連通する通気路７を備え、ペン先没入時に前記通気路７を閉鎖しインキタンク４１内と外気との連通を遮断し、且つ、ペン先突出時に前記通気路７を開放しインキタンク４１内と外気とを連通するシール装置８を備えたこと（構成３）が好ましい。
【００１３】
前記構成１の出没式筆記具１は、ペン先没入時にシール装置８が通気路７を閉鎖しインキタンク４１内と外気との連通を遮断する。それにより、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【００１４】
（構成４）
前記構成１または構成２の出没式筆記具１において、軸筒２の前端部に開閉部材９を設け、前端孔２１より後方の軸筒２内部に環状のシール体２４を設け、ペン先没入時に、前記開閉部材９が前端孔２１を閉鎖し且つ前記シール体２４が筆記体３の外周面と密接することにより、軸筒２内部に密閉されたシール空間２５を構成するとともに該シール空間２５内部にペン先５を収容し、ペン先突出時に、前記開閉部材９が前端孔２１を開口させ且つ前記シール空間２５を開放させてなること（構成４）が好ましい。
【００１５】
前記構成４の出没式筆記具１は、ペン先没入時に、密閉されたシール空間２５内部にペン先５を収容することにより、いかなる種類のペン先５を採用してもペン先没入時にペン先５を確実に密閉でき、ペン先５の乾燥を防止できる。その結果、筆記体３のペン先５として、ボールペンチップに限らず、あらゆる種類のペン先５を用いた直液タイプの出没式筆記具１が得られる。
【００１６】
（構成５）
前記構成４の出没式筆記具１において、筆記体３が、インキタンク４１内と外気とを連通する通気路７を備え、筆記体３の外面に通気路７の開口部７１を設け、ペン先没入時に前記シール空間２５内部に前記通気路７の開口部７１を位置させてなること（構成５）が好ましい。
【００１７】
前記構成５の出没式筆記具１は、ペン先没入時に、密閉されたシール空間２５内部に通気路７の開口部７１を位置させてなることにより、ペン先没入時の通気路７と外気との連通が遮断され、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【００１８】
（構成６）
前記構成４の出没式筆記具１において、筆記体３が、インキタンク４１内と外気とを連通する通気路７を備え、ペン先没入時に前記通気路７の開口部７１を前記シール体２４が密閉してなること（構成６）が好ましい。
【００１９】
前記構成６の出没式筆記具１は、ペン先没入時に前記通気路７の開口部７１を前記シール体２４が密閉してなることにより、ペン先没入時の通気路７と外気との連通が遮断され、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【００２０】
（構成７）
前記構成１または２の出没式筆記具１において、前記ペン先５が、前端に回転可能にボールを抱持したボールペンチップであり、軸筒２内部の前端孔２１近傍に弾性材料からなるペン先シール部材１０を設け、ペン先没入時に前記ペン先シール部材１０にペン先５の前端を密接させることによりペン先５の前端を密閉し、ペン先突出時に前記ペン先シール部材１０と前記ペン先５の前端との密接を解除してなること（構成７）が好ましい。
【００２１】
前記構成７の出没式筆記具１は、ペン先没入時のペン先５の前端を密閉する構造が、ペン先５の前端を弾性材料からなるペン先シール部材１０に密接させる構造であり、従来のようなボールをボール抱持部内縁に押圧して密接させる構造でないため、筆記時の疲労感を軽減させることができるとともに、ボール抱持部内縁とボールとの間にゴミ等の異物が混入した場合でも、ペン先没入時のペン先５からのインキ蒸発やインキ漏出を確実に防止できる。
【００２２】
（構成８）
前記構成７の出没式筆記具１において、筆記体３が、インキタンク４１内と外気とを連通する通気路７を備え、前記筆記体３のペン先５近傍の外面に通気路７の開口部７１を設け、ペン先没入時に前記ペン先シール部材１０が前記通気路７の開口部７１を密閉し、ペン先突出時に前記ペン先シール部材１０が前記通気路７の開口部７１を開放してなること（構成８）が好ましい。
【００２３】
前記構成８の出没式筆記具１は、ペン先没入時に前記ペン先シール部材１０が前記通気路７の開口部７１を密閉してなることにより、ペン先没入時のインキタンク４１と外気との連通を遮断し、ペン先没入状態で長期間保管しても、通気路７からインキタンク４１内のインキが蒸発することを防止し、さらに、ペン先没入状態でインキタンク４１内の圧力が上昇しても、通気路７を通って外部にインキが漏出することを防止できる。また、前記構成３の出没式筆記具１は、ペン先シール部材１０が、ペン先没入時にペン先５を密閉するとともに通気路７の開口部７１を密閉するため、部品点数の増加を抑えることができる。
【００２４】
（構成９）
前記構成７の出没式筆記具１において、筆記体３が、インキタンク４１内と外気とを連通する通気路７を備え、筆記体３の外面に通気路７の開口部７１を設け、軸筒２内部に弾性材料からなるシール体２４を固定し、ペン先没入時に前記シール体２４が前記通気路７の開口部７１を密閉し、ペン先突出時に前記シール体２４が前記通気路７の開口部７１を開放してなること（構成９）が好ましい。
【００２５】
前記構成９の出没式筆記具１は、ペン先没入時に前記シール体２４が前記通気路７の開口部７１を密閉してなることにより、ペン先没入時のインキタンク４１と外気との連通を遮断し、ペン先没入状態で長期間保管しても、通気路７からインキタンク４１内のインキが蒸発することを防止し、さらに、ペン先没入状態でインキタンク４１内の圧力が上昇しても、通気路７を通って外部にインキが漏出することを防止できる。
【００２６】
（構成１０）
前記構成３の出没式筆記具１において、前記シール装置８が、筆記体３の外面に設けた通気路７の開口部７１と、軸筒２内面に固定したシール体２４とからなり、ペン先没入時に前記シール体２４が前記通気路７の開口部７１を密閉し、ペン先突出時に前記シール体２４が前記通気路７の開口部７１を開放してなること（構成１０）が好ましい。
【００２７】
前記構成１０の出没式筆記具１は、シール体２４が通気路７の開口部７１を密閉する構成であるため、ペン先没入時の通気路７の開口部７１を、簡易な構造で確実に密閉することができる。
【００２８】
（構成１１）
前記構成１０の出没式筆記具１において、筆記体３の前部外面に通気路７の開口部７１を設け、軸筒２の前部内面にシール体２４を固定してなること（構成１１）が好ましい。
【００２９】
前記構成１１の出没式筆記具１は、筆記体３の前部外面（即ちインキ保溜部材６のインキ保溜部の前方の外面）に通気路７の開口部７１を設けたことにより、ペン先没入時の通気路７の開口部７１を密閉する構造が、より一層、簡易なものとなる。
【００３０】
（構成１２）
前記構成１０の出没式筆記具１において、筆記体３の後端に、後方に開口する通気路７の開口部７１を設け、軸筒２の後部内面にシール体２４を固定してなること（構成１２）が好ましい。
【００３１】
前記構成１２の出没式筆記具１は、筆記体３の後端（即ちインキタンク４１の後方）に、後方に開口する通気路７の開口部７１を設け、軸筒２内の後部内部にシール体２４を固定してなることにより、ペン先没入時の筆記体３の後方付勢力を利用することにより、シール体２４と通気路７の開口部７１とを前後方向に確実に密接させることができ、ペン先没入時の通気路７の開口部７１の確実な密閉が得られる。さらに、前記構成１２の出没式筆記具１は、筆記体３の後端に、後方に開口する通気路７の開口部７１を設けたことにより、ペン先突出時に、ペン先下向き状態でインキタンク４１内の圧力が上昇しても、通気路７の開口部７１が上向き状態であるため、通気路７の開口部７１から外部にインキが漏出することを、一層回避できる。
【００３２】
（構成１３）
前記構成１２の出没式筆記具１において、筆記体３が、内部にインキタンク４１を備え且つ内部にインキ保溜部材６を収容する筒状の容器４からなり、通気路７が、インキタンク４１からインキ保溜部材６のインキ保溜部前方までの第１の通気路７ａと、該第１の通気路７ａの前端と連通し且つ前記容器４の後端より後方に開口する第２の通気路７ｂとからなり、前記容器４の外壁に前記第２の通気路７ｂを形成したこと（構成１３）が好ましい。
【００３３】
前記構成１３の出没式筆記具１は、インキタンク４１内部から筆記体３の後端に至る通気路７を確実に形成できる。さらに、前記構成１３の出没式筆記具１は、インキタンク４１から通気路７の開口部７１までの通気路７の長さを長く設定でき、ペン先下向き状態でインキタンク４１内の圧力が上昇しても、通気路７の開口部７１から外部にインキが漏出することを、より一層回避できる。
【００３４】
（構成１４）
前記構成１３の出没式筆記具１において、容器４の外面に、筒状の外装体３１を装着し、前記容器４の外面と前記外装体３１の内面との間に第２の通気路７ｂを形成したこと（構成１４）が好ましい。
【００３５】
前記構成１４の出没式筆記具１は、インキタンク４１内部から筆記体３の後端面に至る通気路７を、一層確実に形成できる。
【００３６】
（構成１５）
前記構成１３の出没式筆記具１において、容器４の外面に管状壁部４６を一体に形成し、前記管状壁部４６の内部に第２の通気路７ｂを形成したこと（構成１５）が好ましい。
【００３７】
前記構成１５の出没式筆記具１は、インキタンク４１内部から筆記体３の後端面に至る通気路７を、一層確実に形成できるとともに、部品点数の増加を抑えることができる。
【００３８】
（構成１６）
前記構成３の出没式筆記具１において、前記シール装置８が、筆記体３の前部外面に設けた通気路７の開口部７１と、前記通気路７の開口部７１内部に外方に付勢された状態で収容された弁体８１と、前記通気路７の開口端部に設けられ、前記外方に付勢された弁体８１が密接可能な弁座８２と、軸筒２の前部内面に設けた押圧壁部２３とからなり、ペン先没入時に、前記弁体８１が前記弁座８２に密接して通気路７の開口部７１を閉鎖し、ペン先突出時に、前記押圧壁部２３が前記弁体８１を後方に押圧して通気路７の開口部７１を開放してなること（構成１６）が好ましい。
【００３９】
前記構成１６の出没式筆記具１は、ペン先没入時の通気路７の開口部７１を確実に密閉することができ、ペン先突出時の通気路７の開口部７１を確実に開口することができる。また、前記構成１６の出没式筆記具１は、ペン先没入状態からペン先突出状態までの過程において、通気路７の開口部７１の閉鎖状態を長く設定することができ、その結果、不完全なペン先突出操作をした場合でも、通気路７が開放されることを一層回避でき、通気路７から外部へのインキ蒸発及びインキ漏出を一層抑えることができる。
【発明の効果】
【００４０】
本発明の出没式筆記具は、構成１により、ペン先下向き状態において、航空機内等での急激な圧力変化が生じ、インキタンク内の空気が急激に膨張した場合であっても、外部へのインキの吹き出しが防止される。
【００４１】
本発明の出没式筆記具は、構成２により、ペン先上向き状態において、航空機内等での急激な圧力変化が生じ、インキタンク内の空気が急激に膨張した場合であっても、外部へのインキの吹き出しが防止される。
【００４２】
本発明の出没式筆記具は、構成３により、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【００４３】
本発明の出没式筆記具は、構成４により、いかなる種類のペン先を採用してもペン先没入時にペン先を確実に密閉でき、ペン先の乾燥を防止できる。
【００４４】
本発明の出没式筆記具は、構成５により、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【００４５】
本発明の出没式筆記具は、構成６により、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【００４６】
本発明の出没式筆記具は、構成７により、筆記時の疲労感を軽減させることができるとともに、ボール抱持部内縁とボールとの間にゴミ等の異物が混入した場合でも、ペン先没入時のペン先からのインキ蒸発やインキ漏出を確実に防止できる。
【００４７】
本発明の出没式筆記具は、構成８により、ペン先没入時のインキタンクと外気との連通を遮断し、ペン先没入状態で長期間保管しても、通気路からインキタンク内のインキが蒸発することを防止し、さらに、ペン先没入状態でインキタンク内の圧力が上昇しても、通気路を通って外部にインキが漏出することを防止できる。また、前記構成８の出没式筆記具は、ペン先シール部材が、ペン先没入時にペン先を密閉するとともに通気路の開口部７１を密閉するため、部品点数の増加を抑えることができる。
【００４８】
本発明の出没式筆記具は、構成９により、ペン先没入状態で長期間保管しても、通気路からインキタンク内のインキが蒸発することを防止し、さらに、ペン先没入状態でインキタンク内の圧力が上昇しても、通気路を通って外部にインキが漏出することを防止できる。
【発明を実施するための最良の形態】
【００４９】
（第１の実施の形態）
図１及び図２に本発明の第１の実施の形態を示す。
【００５０】
本実施の形態の出没式筆記具１は、軸筒２と、該軸筒２内に前後方向に移動可能に収容される筆記体３とを備える。
【００５１】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング２６が収容され、前記コイルスプリング２６により筆記体３が後方に常時付勢される。前記コイルスプリング２６の前端は、軸筒２の前端部内壁に形成した前側係止部２２に係止され、一方、コイルスプリング２６の後端は、筆記体３の外面に形成された後側係止部４２に係止される。
【００５２】
・出没機構
前記軸筒２の後端部内部には、出没機構１２が設けられる。前記出没機構１２は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【００５３】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００５４】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００５５】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【００５６】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【００５７】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記インキ誘導芯６２は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【００５８】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【００５９】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００６０】
・通気路
前記通気路７は、容器４内面とインキ保溜部材６の空気交替溝との間に形成される。前記通気路７の開口部７１は、容器４の前端の側壁に切り欠き状に形成され、前記通気路７の開口部７１を通して通気路７内と外気とが連通される。
【００６１】
・シール装置
前記軸筒２内には、ペン先突出時に通気路７を閉鎖し、ペン先没入時に通気路７を開放するシール装置８が設けられる。前記シール装置８は、軸筒２の前部内壁に固定された環状弾性体よりなるシール体２４と、該シール体２４が密接することにより密閉される通気路７の開口部７１とからなる。前記シール体２４は、前後方向に移動する筆記体３の容器４側壁外面と密接摺動する。ペン先没入時に前記シール体２４と前記通気路７の開口部７１が密接し、前記通気路７の開口部７１が密閉される。一方、ペン先突出時に前記シール体２４と前記通気路７の開口部７１との密接が解除され、前記通気路７の開口部７１が開放される。
【００６２】
前記シール体２４は通気路７の開口部７１の面積より僅かに大きく設定され、それにより、シール体２４が開口部７１の全周囲に直接、密接され、通気路７の開口部７１が密閉される。また、前記通気路７の開口部７１は、容器４側壁外面の円周面の一部に形成されているが、シール体２４が環状であるため、軸筒２内面に対する筆記体３の円周方向の向きがいずれであっても、シール体２４によって確実に密閉できる。
【００６３】
（第２の実施の形態）
図３乃至図６に本発明の第２の実施の形態を示す。
【００６４】
本実施の形態の出没式筆記具１は、軸筒２と、該軸筒２内に前後方向に移動可能に収容される筆記体３とを備える。
【００６５】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング２６が収容され、前記コイルスプリング２６により筆記体３が後方に常時付勢される。前記コイルスプリング２６の前端は、軸筒２の前端部内壁に形成した前側係止部２２に係止され、一方、コイルスプリング２６の後端は、筆記体３の外面に形成された後側係止部４２に係止される。
【００６６】
・出没機構
前記軸筒２の後端部内部には、出没機構１２が設けられる。前記出没機構１２は、操作部の操作により、筆記時、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記回転部材１２２は、ペン先突出時に筆記体３の後端（容器４の後端）に当接し、筆記体３を前方に押圧する。前記回転部材１２２の前端部には、ペン先突出時に筆記体３の後端（容器４の後端）に当接するための棒状部１２２ａが形成される。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【００６７】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、前記容器４の外面に装着される筒状の外装体３１と、該外装体３１の内面と容器４の外面との間に形成され、インキタンク４１内と外気とを連通させる通気路７とからなる。
【００６８】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００６９】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１後面より大空間４１２側に突出される。
【００７０】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【００７１】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記インキ誘導芯６２は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【００７２】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【００７３】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００７４】
・外装体
前記外装体３１は、両端が開口された筒状体からなる。前記外装体３１は容器４の外面に装着され、前記外装体３１内に容器４が収容される。前記容器４の外面には軸方向の複数本のリブ４３が形成され、前記リブ４３外面と外装体３１の内面とが嵌合される。前記外装体３１の前端開口部７１は、ペン先保持部材５３が密接されて、常時閉鎖される。前記外装体３１の後端開口部７１は、外部に開口される。尚、前記軸方向の複数本リブ４３は、外装体３１の内面に形成してもよい。
【００７５】
・通気路
前記通気路７は、容器４の内面とインキ保溜部材６の空気交替溝との間に形成される第１の通気路７ａと、外装体３１の内面と容器４の外面との間の前記リブ４３間に形成される第２の通気路７ｂとからなる。前記第１の通気路７ａが、インキタンク４１からインキ保溜部材６のインキ保溜部前方まで形成され、容器４の前端の側壁に形成された連通孔７２を通して、第２の通気路７ｂと連通される。前記第２の通気路７ｂは、外装体３１の後端開口部７１を通して外気と連通される。即ち、外装体３１の後端開口部７１が、通気路７の開口部７１となる。
【００７６】
・シール装置
前記軸筒２内には、ペン先突出時に通気路７を閉鎖し、ペン先没入時に通気路７を開放するシール装置８が設けられる。前記シール装置８は、軸筒２の後部内壁に固定された環状弾性体よりなるシール体２４と、該シール体２４の内周面と環状に密接する回転部材１２２の棒状部１２２ａと、前記シール体２４が密接することにより密閉される通気路７の開口部７１とからなる。ペン先没入時に前記シール体２４と前記通気路７の開口部７１が前後方向に密接し、前記シール体２４の内周面と回転部材１２２の棒状部１２２ａ外周面とが環状に密接することにより、前記通気路７の開口部７１が密閉され、インキタンク４１内と外気との連通が遮断される。一方、ペン先突出時に前記シール体２４と前記通気路７の開口部７１との密接が解除され、前記通気路７の開口部７１が開放され、インキタンク４１内と外気との連通が維持される。前記シール体２４の内周面は、少なくともペン先没入時に、回転部材１２２の棒状部１２２ａ外周面と環状に密接される。
【００７７】
前記シール体２４の前面には、環状突起が形成される。ペン先没入時、コイルスプリング２６の後方付勢により筆記体３が後方に押圧され、それにより、前記環状突起に、通気路７の開口部７１の内周縁が密接し、通気路７の開口部７１が密閉される。
【００７８】
（第３の実施の形態）
図７乃至図１０に本発明の第３の実施の形態を示す。
【００７９】
本実施の形態の出没式筆記具１は、軸筒２と、該軸筒２内に前後方向に移動可能に収容される筆記体３とを備える。
【００８０】
・軸筒
前記軸筒２の前端には、前端孔２１が貫設される。前記前端孔２１を通して筆記体３のペン先５が外部に突出可能且つ内部に没入可能に構成される。前記軸筒２の前端孔２１近傍の内部には、コイルスプリング２６が収容され、前記コイルスプリング２６により筆記体３が後方に常時付勢される。前記コイルスプリング２６の前端は、軸筒２の前端部内壁に形成した前側係止部２２に係止され、一方、コイルスプリング２６の後端は、筆記体３の外面に形成された後側係止部４２に係止される。
【００８１】
・出没機構
前記軸筒２の後端部内部には、出没機構１２が設けられる。前記出没機構１２は、筆記時、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記回転部材１２２は、ペン先突出時に筆記体３の後端（容器４の後端）に当接し、筆記体３を前方に押圧する。前記回転部材１２２の前端部には、ペン先突出時に筆記体３の後端（容器４の後端）に当接するための棒状部１２２ａが形成される。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【００８２】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、前記容器４の外面に形成され、インキタンク４１内と外気とを連通させる通気路７とからなる。
【００８３】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００８４】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【００８５】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【００８６】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記インキ誘導芯６２は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【００８７】
前記インキ保溜部材６は、複数の板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【００８８】
前記インキ保溜部材６の前端には、ボールペンチップからなるペン先５が取り付けられる。前記ペン先５は、前端にボールを回転可能に抱持したチップ本体５１と、該チップ本体５１が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧により、ボールが、チップ本体５１のボール抱持部の前端内縁に密接され、それにより、非筆記時における、ペン先５からのインキの漏出やインキの蒸発を防止する。
【００８９】
・管状壁部
前記容器４の外面には、軸方向に延びる管状壁部４６が一体に形成される。前記容器４と前記管状壁部４６が一体に連設された部分の筆記体３の横断面形状は、円形状であり、前記容器４と前記管状壁部４６とは、軸方向に延びる平板状の隔壁４４により仕切られる（図１０参照）。即ち、前記容器４と前記管状壁部４６が一体に連設された部分の横断面形状は、前記容器４内面が、直径より短い線分で円を２分割した大面積側の形状を有し、前記管状壁部４６内面が、直径より短い線分で円を２分割した小面積側の形状を有する。前記管状壁部４６の後端は、容器４の底壁より後方に突出され、筆記体３の軸心と同心の円形状からなる円筒状壁部４５を形成する。前記円筒状壁部４５が、後方に開口され、通気路７の開口部７１を構成する。
【００９０】
・通気路
通気路７は、容器４の内面とインキ保溜部材６の空気交替溝との間に形成される第１の通気路７ａと、管状壁部４６の内部に形成される第２の通気路７ｂとからなる。前記第１の通気路７ａが、インキタンク４１からインキ保溜部材６のインキ保溜部前方まで形成され、容器４の前端の側壁に形成された連通孔７２を通して、第２の通気路７ｂと連通される。前記第２の通気路７ｂは、管状壁部４６の後端の円筒状壁部４５の開口部７１を通して外気と連通される。即ち、円筒状壁部４５の開口部７１が、通気路７の開口部７１となる。
【００９１】
・シール装置
前記軸筒２内には、ペン先突出時に通気路７を閉鎖し、ペン先没入時に通気路７を開放するシール装置８が設けられる。前記シール装置８は、軸筒２の後部内壁に固定された環状弾性体よりなるシール体２４と、該シール体２４の内周面と環状に密接する回転部材１２２の棒状部１２２ａと、前記シール体２４が密接することにより密閉される通気路７の開口部７１とからなる。ペン先没入時に前記シール体２４と前記通気路７の開口部７１が前後方向に密接し、シール体２４の内周面と回転部材１２２の棒状部１２２ａ外周面が環状に密接することにより、前記通気路７の開口部７１が密閉され、インキタンク４１内と外気との連通が遮断される。一方、ペン先突出時に前記シール体２４と前記通気路７の開口部７１との密接が解除され、前記通気路７の開口部７１が開放され、インキタンク４１内と外気との連通が維持される。前記シール体２４の内周面は、少なくともペン先没入時に、回転部材１２２の棒状部１２２ａ外周面と環状に密接される。
【００９２】
前記シール体２４の前面には、前方に向かうに従い次第に外径が小さくなる円錐面状外面が形成される。ペン先没入時、コイルスプリング２６の後方付勢により筆記体３が後方に押圧され、それにより、前記シール体２４の円錐面状外面に、通気路７の開口部７１（円筒状壁部４５の開口部７１）の内周縁が密接し、通気路７の開口部７１が密閉される。
【００９３】
（第４の実施の形態）
図１１乃至図１２に本発明の第４の実施の形態を示す。
【００９４】
本実施の形態の出没式筆記具１は、軸筒２と、該軸筒２内に前後方向に移動可能に収容される筆記体３とを備える。
【００９５】
・軸筒
前記軸筒２の前端には、前端孔２１が貫設される。前記前端孔２１を通して筆記体３のペン先５が外部に突出可能且つ内部に没入可能に構成される。前記軸筒２の前部内部には、コイルスプリング２６が収容され、前記コイルスプリング２６により筆記体３が後方に常時付勢される。前記コイルスプリング２６の前端は、軸筒２の前部内壁に形成した前側係止部２２に係止され、一方、コイルスプリング２６の後端は、筆記体３の外面に形成された後側係止部４２に係止される。
【００９６】
・出没機構
前記軸筒２の後端部内部には、出没機構１２が設けられる。前記出没機構１２は、筆記時、筆記体３を前方に移動し、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【００９７】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００９８】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００９９】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【０１００】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【０１０１】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記インキ誘導芯６２は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【０１０２】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【０１０３】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３と、該ペン先保持部材５３の内部及びチップ本体５１内部に収容され、ボールを前方に押圧する弾発体５２とからなる。インキタンク４１内のインキは、前記インキ誘導芯６２から、弾発体５２が収容されたペン先保持部材５３の内部及びチップ本体５１内部を通ってボールに供給される。前記弾発体５２の前方への押圧によりボールが、チップ本体５１のボール抱持部の前端内縁に密接され、それにより、非筆記時における、ペン先５からのインキの漏出やインキの蒸発を防止する。
【０１０４】
・通気路
前記通気路７は、容器４内面とインキ保溜部材６の空気交替溝との間に形成される。前記通気路７の開口部７１は、前方に開口するよう、容器４の前端に設けられる。前記通気路７の開口部７１を通して通気路７内と外気とが連通される。
【０１０５】
・シール装置
前記軸筒２内には、ペン先突出時に通気路７を閉鎖し、ペン先没入時に通気路７を開放するシール装置８が設けられる。前記シール装置８は、筆記体３の前部外面に設けた通気路７の開口部７１と、前記通気路７の開口部７１内部に外方に付勢された状態で収容された弁体８１と、前記通気路７の開口端部に設けられ、前記弁体８１が密接可能な弁座８２と、軸筒２の前部内面に設けた押圧壁部２３とからなる。ペン先没入時に、前記弁体８１と前記弁座８２とが密接して通気路７の開口部７１が閉鎖され、ペン先突出時に、前記押圧壁部２３が前記弁体８１を後方に押圧して通気路７の開口部７１が開放される。
【０１０６】
前記弁体８１は、通気路７の開口部７１内部に、前後方向に移動可能に収容される。前記通気路７の開口部７１内部の弁体８１の後方には、弁体８１を常時前方に付勢する弾発体８３（例えばコイルスプリング）が収容される。前記容器４の前端開口部７１に取り付けられるペン先保持部材５３には、前記通気路７の開口部７１が設けられる。前記通気路７の開口端部には、前方に付勢された弁体８１が密接可能な弁座８２が形成される。前記弁体８１の前端部は、弁座８２より前方に突出されるとともに、ペン先突出時、押圧壁部２３と当接される。尚、本発明において、前記弁体８１と弾発体８３とは、弾性材料により一体に形成したものでもよい。
【０１０７】
前記押圧壁部２３は、軸筒２の前端孔２１近傍の内壁に一体に形成される軸方向に延びるリブ４３からなる。前記押圧壁部２３が、筆記体３の外面に形成した軸方向の凹溝に係合し、筆記体３と軸筒２との円周方向の位置（即ち通気路７の開口部７１と押圧壁部２３の円周方向の位置）を合わせることができる。
【０１０８】
（第５の実施の形態）
図１３及び図１４に本発明の第５の実施の形態を示す。
【０１０９】
本実施の形態の出没式筆記具１は、軸筒２と、該軸筒２内に前後方向に移動可能に収容される筆記体３とを備える。
【０１１０】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング２６が収容され、前記コイルスプリング２６により筆記体３が後方に常時付勢される。前記コイルスプリング２６の前端は、軸筒２の内面に形成した前側係止部２２に係止され、一方、コイルスプリング２６の後端は、筆記体３の外面に形成した後側係止部４２に係止される。本実施の形態では、前記軸筒２は、前端孔２１を備える前軸２ａと、該前軸２ａと連結される後軸２ｂとからなる二部材で構成される。前記前軸２ａの内面には前側係止部２２が形成され、前記前側係止部２２の後面が後軸２ｂの前端に当接される。尚、前記軸筒２は一部材で構成してもよい。
【０１１１】
前記軸筒２（前軸２ａ）の前端部は、軸線に対して非垂直面からなる傾斜面となっている。前記軸筒２の前端部の傾斜面に前端孔２１が開口される。
【０１１２】
・出没機構
前記軸筒２（後軸２ｂ）の後端部内部には、出没機構１２が設けられる。前記出没機構１２は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【０１１３】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【０１１４】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。前記容器４の前端部外面には環状凸部３２が形成される。
【０１１５】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【０１１６】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【０１１７】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記誘導芯は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【０１１８】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【０１１９】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３とからなる。前記ペン先保持部材５３の内部には、前記インキ誘導芯６２の前端と接続される繊維加工体からなるインキ中継芯５４が収容され、前記チップ本体５１の内部には、前記インキ中継芯５４の前端と接続される合成樹脂押出成形体からなるインキ供給芯５５が収容される。インキタンク４１内のインキは、前記インキ誘導芯６２から、ペン先保持部材５３の内部のインキ中継芯５４に供給され、前記インキ中継芯５４からチップ本体５１内部のインキ供給芯５５に供給され、前記インキ供給芯５５からボールに供給される。
【０１２０】
・通気路
前記通気路７は、容器４内面とインキ保溜部材６の空気交替溝との間に形成される。前記空気交替溝の前端は、前記容器４の前端の環状凸部３２より前方に位置され、それにより、前記通気路７の開口部７１は、容器４の前端開口部７１の前方に位置される。前記通気路７の開口部７１を通して通気路７内及びインキタンク４１内と外気とが連通される。
【０１２１】
・開閉部材
軸筒２（前軸２ａ）の外面には、前端孔２１を開閉する開閉部材９が取り付けられる。前記開閉部材９は、前端孔２１の周壁に密接可能な弾性材料よりなる蓋体９１と、該蓋体９１を後方に付勢するバネ部材９２とからなる。前記蓋体９１の一端が、前軸２ａの前端の傾斜面状の周壁の後端側に支持され、前記蓋体９１が回動可能となる。ペン先没入時に、蓋体９１が前端孔２１の周壁に密接され、開閉部材９により前端孔２１が閉鎖される。一方、ペン先突出時に、蓋体９１が筆記体３により前方へ押しやられて、蓋体９１と前端孔２１の周壁との密接が解除され、前端孔２１が開口される。
【０１２２】
・環状のシール体
軸筒２の前部内面（具体的には、前軸２ａの前側係止部２２の前方の内面）には弾性材料からなる環状のシール体２４が固定される。前記シール体２４の前方には、筆記体３の環状凸部３２が位置している。ペン先没入時、前記環状のシール体２４が、通気路７の開口部７１の後方の筆記体３の外面に形成された環状凸部３２の後面に密接される。一方、ペン先突出時、前記環状のシール体２４と環状凸部３２との密接が解除される。
【０１２３】
・シール空間
ペン先没入時、開閉部材９により前端孔２１が閉鎖されるとともに、環状のシール体２４と環状凸部３２とが密接され、それにより、軸筒２内部の前端孔２１後方に、密閉された空間よりなるシール空間２５が形成され、前記シール空間２５内部に、ペン先５と、通気路７の開口部７１が収容される。一方、ペン先突出時に、開閉部材９が前端孔２１を開口させ且つシール体２４と環状凸部３２との密接が解除され、それにより、前記シール空間２５が開放され、通気路７の開口部７１を通して通気路７内及びインキタンク４１内と外気とが連通可能となる。
【０１２４】
（第６の実施の形態）
図１５及び図１６に本発明の第６の実施の形態を示す。
【０１２５】
本実施の形態の出没式筆記具１は、軸筒２と、該軸筒２内に前後方向に移動可能に収容される筆記体３とを備える。
【０１２６】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング２６が収容され、前記コイルスプリング２６により筆記体３が後方に常時付勢される。前記コイルスプリング２６の前端は、軸筒２の内面に形成した前側係止部２２に係止され、一方、コイルスプリング２６の後端は、筆記体３の外面に形成した後側係止部４２に係止される。本実施の形態では、前記軸筒２は、前端孔２１を備える前軸２ａと、該前軸２ａと連結される後軸２ｂとからなる二部材で構成される。前記前軸２ａの内面には前側係止部２２が形成され、前記前側係止部２２の後面が後軸２ｂの前端に当接される。尚、前記軸筒２は一部材で構成してもよい。
【０１２７】
前記軸筒２（前軸２ａ）の前端部は、軸線に対して非垂直面からなる傾斜面となっている。前記軸筒２の前端部の傾斜面に前端孔２１が開口される。
【０１２８】
・出没機構
前記軸筒２（後軸２ｂ）の後端部内部には、出没機構１２が設けられる。前記出没機構１２は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【０１２９】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【０１３０】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。前記容器４の前端部外面には環状凸部３２が形成される。
【０１３１】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【０１３２】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【０１３３】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記誘導芯は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【０１３４】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【０１３５】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５３とからなる。前記ペン先保持部材５３の内部には、前記インキ誘導芯６２の前端と接続される繊維加工体からなるインキ中継芯５４が収容され、前記チップ本体５１の内部には、前記インキ中継芯５４の前端と接続される合成樹脂押出成形体からなるインキ供給芯５５が収容される。インキタンク４１内のインキは、前記インキ誘導芯６２から、ペン先保持部材５３の内部のインキ中継芯５４に供給され、前記インキ中継芯５４からチップ本体５１内部のインキ供給芯５５に供給され、前記インキ供給芯５５からボールに供給される。
【０１３６】
前記ペン先保持部材５３は、容器４の前端開口部７１内面に圧入固着されるとともに、インキ保溜部材６の前端に取り付けられる。前記ペン先保持部材５３の外面には環状凸部３２が形成され、該環状凸部３２の後面が、容器４の前端と当接される。
【０１３７】
・通気路
前記通気路７は、容器４内面とインキ保溜部材６の空気交替溝との間に形成される。前記通気路７の前端は、前記容器４の前端部に形成した切り欠きにより径方向外方に開口される。それにより、前記通気路７の開口部７１は、容器４の前端部に位置される。即ち、通気路７の開口部７１は、環状凸部３２よりも後方の筆記体３の外面から、径方向外方に開口される。前記通気路７の開口部７１を通して通気路７内及びインキタンク４１内と外気とが連通される。
【０１３８】
・開閉部材
軸筒２（前軸２ａ）の外面には、前端孔２１を開閉する開閉部材９が取り付けられる。前記開閉部材９は、前端孔２１の周壁に密接可能な弾性材料よりなる蓋体９１と、該蓋体９１を後方に付勢するバネ部材９２とからなる。前記蓋体９１の一端が、前軸２ａの前端の傾斜面状の周壁の後端側に支持され、前記蓋体９１が回動可能となる。ペン先没入時に、蓋体９１が前端孔２１の周壁に密接され、開閉部材９により前端孔２１が閉鎖される。一方、ペン先突出時に、蓋体９１が筆記体３により前方へ押しやられて、蓋体９１と前端孔２１の周壁との密接が解除され、前端孔２１が開口される。
【０１３９】
・環状のシール体
軸筒２の前部内面（具体的には、前軸２ａの前側係止部２２の前方の内面）には弾性材料からなる環状のシール体２４が固定される。前記シール体２４の前方には、筆記体３の環状凸部３２が位置している。ペン先没入時、前記環状のシール体２４が、通気路７の開口部７１の開口縁に密接され、該通気路７の開口部７１が密閉される。一方、ペン先突出時、前記環状のシール体２４と通気路７の開口部７１の開口縁との密接が解除される。
【０１４０】
前記シール体２４は通気路７の開口部７１の面積より僅かに大きく設定され、それにより、シール体２４が開口部７１の全周囲に直接、密接され、通気路７の開口部７１が密閉される。また、前記通気路７の開口部７１は、容器４側壁外面の円周面の一部に形成されているが、シール体２４が環状であるため、筆記体３の回転方向の向きがいずれであっても、シール体２４によって確実に密閉できる。
【０１４１】
・シール空間
ペン先没入時、開閉部材９により前端孔２１が閉鎖されるとともに、環状のシール体２４と通気路７の開口部７１の開口縁とが密接され、前記通気路７の開口部７１が密閉され、それにより、軸筒２内部の前端孔２１後方に、密閉された空間よりなるシール空間２５が形成され、前記シール空間２５内部に、ペン先５が収容される。一方、ペン先突出時に、開閉部材９が前端孔２１を開口させ且つシール体２４と通気路７の開口部７１の開口縁との密接が解除され、それにより、前記シール空間２５が開放され、通気路７の開口部７１を通して通気路７内及びインキタンク４１内と外気とが連通可能となる。
【０１４２】
（第７の実施の形態）
図１７及び図１８に本発明の第７の実施の形態を示す。
本実施の形態の出没式筆記具１は、軸筒２と、該軸筒２内に前後方向に移動可能に収容される筆記体３とを備える。
【０１４３】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング２６が収容され、前記コイルスプリング２６により筆記体３が後方に常時付勢される。前記コイルスプリング２６の前端は、軸筒２の内面に形成した前側係止部２２に係止され、一方、コイルスプリング２６の後端は、筆記体３の外面に形成した後側係止部４２に係止される。
【０１４４】
・出没機構
前記軸筒２の後端部内部には、出没機構１２が設けられる。前記出没機構１２は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【０１４５】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【０１４６】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【０１４７】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【０１４８】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【０１４９】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記誘導芯は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【０１５０】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【０１５１】
前記インキ保溜部材６の前端部には、ボールペンチップからなるペン先５が取り付けられる。前記ペン先５は、前端にボールを回転可能に抱持したチップ本体５１と、該チップ本体５１後部が圧入固着されるペン先保持部材５３とからなる。前記ペン先保持部材５３の内部には、前記インキ誘導芯６２の前端と接続される繊維加工体からなるインキ中継芯５４が収容され、前記チップ本体５１の内部には、前記インキ中継芯５４の前端と接続される合成樹脂押出成形体からなるインキ供給芯５５が収容される。インキタンク４１内のインキは、前記インキ誘導芯６２から、ペン先保持部材５３の内部のインキ中継芯５４に供給され、前記インキ中継芯５４からチップ本体５１内部のインキ供給芯５５に供給され、前記インキ供給芯５５からボールに供給される。
【０１５２】
前記ペン先保持部材５３は、容器４の前端開口部７１内面に圧入固着されるとともに、インキ保溜部材６の前端部に取り付けられる。
【０１５３】
・通気路
前記通気路７は、容器４内面とインキ保溜部材６の空気交替溝との間に形成されるとともに、前記ペン先保持部材５３内部に形成され、前記ペン先保持部材５３の前端部外面において、開口される。前記通気路７の開口部７１を通して通気路７内及びインキタンク４１内と外気とが連通される。
【０１５４】
・ペン先シール部材
軸筒２の内面には、弾性材料よりなるペン先シール部材１０がバネ部材１０４を介して取り付けられる。前記ペン先シール部材１０は、ペン先５と密接可能なペン先シール部１０５と、該ペン先シール部１０５の後方に一体に連設された通気路シール部８６とからなる。前記ペン先シール部材１０の後端にはバネ部材１０４（具体的には、ねじりコイルバネ）が固定され、前記バネ部材１０４によって、ペン先シール部材１０が径方向内方に常時付勢される。
【０１５５】
ペン先没入時に、バネ部材１０４による付勢により、ペンシール部材のペン先シール部１０５がペン先５に密接され、ペン先５が密閉されるとともに、ペン先シール部材１０の通気路シール部１０６が通気路７の開口部７１の開口縁に密接され、通気路７の開口部７１が密閉される。一方、ペン先突出時に、筆記体３の前方移動に伴ってペン先シール部材１０が径方向外方に押しやられて、ペン先５とペン先シール部１０５との密接が解除されるとともに、通気路７の開口部７１と通気路シール部１０６との密接が解除され、通気路７の開口部７１を通して通気路７内及びインキタンク４１内と外気とが連通される。
【０１５６】
（第８の実施の形態）
図１９及び図２０に本発明の第８の実施の形態を示す。
本実施の形態の出没式筆記具１は、軸筒２と、該軸筒２内に前後方向に移動可能に収容される筆記体３とを備える。
【０１５７】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング２６が収容され、前記コイルスプリング２６により筆記体３が後方に常時付勢される。前記コイルスプリング２６の前端は、軸筒２の内面に形成した前側係止部２２に係止され、一方、コイルスプリング２６の後端は、筆記体３の外面に形成した環状凸部よりなる後側係止部４２に係止される。本実施の形態では、前記軸筒２は、前端孔２１を備え且つ内面に前側係止部２２が形成される前軸２ａと、該前軸２ａの後端部と連結される後軸２ｂとからなる二部材で構成される。本実施の形態では、前軸２ａは後軸２ｂと螺着される。尚、前記軸筒２は一部材で構成してもよい。
【０１５８】
・出没機構
前記軸筒２（後軸２ｂ）の後端部内部には、出没機構１２が設けられる。前記出没機構１２は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構１２は、回転カムを用いたノック式機構であり、軸筒２内に配置された円筒状のカム本体１２１と、該カム本体１２１内のカム部と係合し且つ筆記体３後端と当接する回転部材１２２と、該回転部材１２２と係合し且つ軸筒２後端より突出するノック部１２３（操作部）とからなる。前記出没機構１２は、ペン先突出操作、ペン先没入操作の両操作が、ノック部１２３を前方へ押圧するダブルノック式である。これ以外にも、前記出没機構１２は、筆記体３のペン先５を出没させるものであれば、例えば、軸筒２を回転操作する回転式や、軸筒２の側壁の窓孔より突出された操作部を前方に押圧するスライド式等が挙げられる。
【０１５９】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【０１６０】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【０１６１】
・隔壁部
インキ保溜部材６の後方の容器４内面（即ちインキタンク４１内面）には、管状部１１１を備えた隔壁部１１が固着される。前記隔壁部１１により、前記インキタンク４１内が前方の小空間４１１と後方の大空間４１２とに区画される。前記管状部１１１は、隔壁部１１の後面より大空間４１２側に突出される。
【０１６２】
前記管状部１１１の内部には、小空間４１１と大空間４１２とを連通させる大径孔１１２が形成される。前記隔壁部１１の外周面には、軸方向に凹溝が貫設される。前記凹溝により、前記隔壁部１１を容器４内面に固着した際、隔壁部１１外面と容器４内面との間に、小空間４１１と大空間４１２とを連通させる小径孔１１３が形成される。
【０１６３】
前記隔壁部１１の軸心には、中心孔１１４が貫設され、該中心孔１１４にインキ誘導芯６２の後端部が挿入される。前記インキ誘導芯６２の後端部は、隔壁部１１の後面より大空間４１２側に僅かに突出される。前記誘導芯は、合成樹脂の押出成形体よりなり、軸方向に延びる環状側壁と、該環状側壁内部に軸方向に延びる毛細管力を有するインキ導出路とを備える。前記インキ誘導芯６２が、インキ導出路が環状側壁により包囲される構成であるため、インキ導出路には、後端のみからインキを供給でき、径方向外方から環状側壁を通してはインキを直接供給できない構成となり、小空間４１１内においてインキ誘導芯６２の環状側壁を通してインキ導出路にインキが供給されることがない。それにより、急激な内圧変化時にインキタンク４１内の膨張空気がインキ誘導芯６２に混入することを防止できる。
【０１６４】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔にインキ誘導芯６２が挿着される。
【０１６５】
前記インキ保溜部材６の前端部には、ボールペンチップからなるペン先５が取り付けられる。前記ペン先５は、前端にボールを回転可能に抱持したチップ本体５１と、該チップ本体５１後部が圧入固着されるペン先保持部材５３とからなる。前記ペン先保持部材５３の内部には、前記インキ誘導芯６２の前端と接続される繊維加工体からなるインキ中継芯５４が収容され、前記チップ本体５１の内部には、前記インキ中継芯５４の前端と接続される合成樹脂押出成形体からなるインキ供給芯５５が収容される。インキタンク４１内のインキは、前記インキ誘導芯６２から、ペン先保持部材５３の内部のインキ中継芯５４に供給され、前記インキ中継芯５４からチップ本体５１内部のインキ供給芯５５に供給され、前記インキ供給芯５５からボールに供給される。
【０１６６】
前記ペン先保持部材５３は、容器４の前端開口部７１内面に圧入固着されるとともに、インキ保溜部材６の前端部に取り付けられる。前記ペン先保持部材５３の外面には環状凸部よりなる後側係止部４２が形成され、該後側係止部４２の後面が、容器４の前端と当接される。
【０１６７】
・通気路
前記通気路７は、容器４内面とインキ保溜部材６の空気交替溝との間に形成される。前記通気路７の前端は、前記容器４の前端部に形成した切り欠きにより径方向外方に開口される。それにより、前記通気路７の開口部７１は、容器４の前端部に位置される。即ち、通気路７の開口部７１は、後側係止部４２より後方の筆記体３の外面において径方向外方に開口される。前記通気路７の開口部７１を通して通気路７内及びインキタンク４１内と外気とが連通される。
【０１６８】
・ペン先シール部材
軸筒２（前軸２ａ）の内面には、弾性材料よりなるペン先シール部材１０が取り付けられる。前記ペン先シール部材１０は、ペン先５と密接可能なシール部１０１と、該シール部１０１の一端より一体に連設された脚部１０２と、該シール部１０１の他端より一体に連設された紐状部１０３とからなる。前記脚部１０２の一端は、軸筒２の内面に固定され、前記脚部１０２の他端は、シール部１０１の一端に連結される。前記紐状部１０３の一端は、筆記体３の外面に固定され、前記紐状部１０３の他端は、シール部１０１の他端に連結される。前記紐状部１０３は、具体的には２本、形成される。
【０１６９】
ペン先没入時に、コイルスプリング２６による後方付勢される筆記体３に伴って、紐状部１０３が後方に引っ張られ、シール部１０１がペン先５に密接され、ペン先５が密閉される。一方、ペン先突出時に、筆記体３の前方移動に伴って紐状部１０３が撓み、シール部１０１が軸心から外れ、ペン先５が紐状部１０３を超えて、前端孔２１より外部に突出される。
【０１７０】
・シール体
軸筒２の前部内面（具体的には、後軸２ｂの前端面）には弾性材料からなる環状のシール体２４が固定される。前記シール体２４の前方には、筆記体３の後側係止部４２が位置している。ペン先没入時、前記環状のシール体２４が、通気路７の開口部７１の開口縁に密接され、通気路７の開口部７１が密閉される。一方、ペン先突出時、前記シール体２４と通気路７の開口部７１の開口縁との密接が解除され、通気路７の開口部７１を通して通気路７内及びインキタンク４１内と外気とが連通可能となる。
【０１７１】
（その他）
尚、本発明の前記インキ保溜部材６は、温度変化等によりインキタンク４１の内圧が上昇した場合に、インキタンク４１からの押し出されたインキ（溢出インキ）を毛細管力により一時的に保持し、一方、インキタンク４１の内圧が減少した場合に、インキ保溜部材６内の保持インキを速やかにインキタンク４１内に戻す機能を有する部材であればよく、本実施の形態の他にも、例えば、らせん状や迷路状のインキ保溜溝を有する合成樹脂の成形体、または繊維加工体や連続気泡体等からなる多孔質含浸体等が挙げられる。
【図面の簡単な説明】
【０１７２】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【図５】図３の筆記体の縦断面図である。
【図６】図５のＡ−Ａ線断面図である。
【図７】本発明の第３の実施の形態のペン先没入状態を示す縦断面図である。
【図８】図７のペン先突出状態を示す縦断面図である。
【図９】図７の筆記体の縦断面図である。
【図１０】図９のＢ−Ｂ線断面図である。
【図１１】本発明の第４の実施の形態のペン先没入状態を示す縦断面図である。
【図１２】図１１のペン先突出状態を示す縦断面図である。
【図１３】本発明の第５の実施の形態のペン先没入状態を示す縦断面図である。
【図１４】図１３のペン先突出状態を示す縦断面図である。
【図１５】本発明の第６の実施の形態のペン先没入状態を示す縦断面図である。
【図１６】図１５のペン先突出状態を示す縦断面図である。
【図１７】本発明の第７の実施の形態のペン先没入状態を示す縦断面図である。
【図１８】図１７のペン先突出状態を示す縦断面図である。
【図１９】本発明の第８の実施の形態のペン先没入状態を示す縦断面図である。
【図２０】図１９のペン先突出状態を示す縦断面図である。
【符号の説明】
【０１７３】
１  出没式筆記具
２  軸筒
２１  前端孔
２２  前側係止部
２３  押圧壁部
２４  シール体
２５  シール空間
２６  コイルスプリング
２ａ  前軸
２ｂ  後軸
３  筆記体
３１  外装体
４  容器
４１  インキタンク
４１１  小空間
４１２  大空間
４２  後側係止部
４３  リブ
４４  隔壁
４５  円筒状壁部
４６  管状壁部
５  ペン先
５１  チップ本体
５２  弾発体
５３  ペン先保持部材
５４  インキ中継芯
５５  インキ供給芯
６  インキ保溜部材
６１  櫛歯
６２  インキ誘導芯
７  通気路
７１  開口部
７２  連通孔
７ａ  第１の通気路
７ｂ  第２の通気路
８  シール装置
８１  弁体
８２  弁座
８３  弾発体
９  開閉部材
９１  蓋体
９２  バネ部材
１０  ペン先シール部材
１０１  シール部
１０２  脚部
１０３  紐状部
１０４  バネ部材
１０５  ペン先シール部
１０６  通気路シール部
１１  隔壁部
１１１  管状部
１１２  大径孔
１１３  小径孔
１１４  中心孔
１２  出没機構
１２１  カム本体
１２２  回転部材
１２２ａ  棒状部
１２３  ノック部（操作部）
【図１】
2008006663.tif 000003
【図２】
2008006663.tif 000004
【図３】
2008006663.tif 000005
【図４】
2008006663.tif 000006
【図５】
2008006663.tif 000007
【図６】
2008006663.tif 000008
【図７】
2008006663.tif 000009
【図８】
2008006663.tif 000010
【図９】
2008006663.tif 000011
【図１０】
2008006663.tif 000012
【図１１】
2008006663.tif 000013
【図１２】
2008006663.tif 000014
【図１３】
2008006663.tif 000015
【図１４】
2008006663.tif 000016
【図１５】
2008006663.tif 000017
【図１６】
2008006663.tif 000018
【図１７】
2008006663.tif 000019
【図１８】
2008006663.tif 000020
【図１９】
2008006663.tif 000021
【図２０】
2008006663.tif 000022